(57)【要約】【課題】ガスをより高い体積あたりのエネルギー密度で貯蔵する。【解決手段】収着媒体との間で物質をロードし及び／又はアンロードするための装置、システム、及び方法である。物質は、物質は、収着材料の平行な層を備える収着媒体の縁部で与えられる。物質を収着媒体の中にロードするために（すなわち、吸収及び／又は吸着を介して）、熱が収着媒体から離して伝達され、ロード電圧が収着媒体に印加され、及び／又は収着媒体に対して圧力が増加される。収着媒体から物質をアンロードするために、収着媒体の中に熱が伝達され、ロード電圧とは反対の極性の電圧が収着媒体に印加され、及び／又は圧力が収着媒体に対して減少される。幾つかの実施形態において、収着媒体は、物質の分子をロードしてもよい表面構造を含む。【選択図】図１
2014025587.tif 000002
【特許請求の範囲】
【請求項１】
物質をロードするための装置であって、
収着材料の第１の層と、
収着材料の第２の層と、を備え、
前記収着材料の前記第２の層が、前記収着材料の前記第１の層と平行に構成され、
前記収着材料の前記第１の層と前記第２の層が、前記収着材料の前記第１の層と前記第２の層との間に物質がロードされることを可能にする距離だけ分離され、
前記距離が、前記第１の層及び／又は前記第２の層の表面上への前記物質の一部の吸着と前記第１の層と前記第２の層との間の区域への前記物質の一部の吸収によって、前記物質が前記収着材料の前記第１の層と前記第２の層との間にロードされることを可能にする、装置。
【請求項２】
前記収着材料の前記第１の層及び前記第２の層と平行に構成される前記収着材料の第３の層及び前記収着材料の第４の層をさらに備え、前記収着材料の前記第３の層及び前記第４の層が、前記第１の距離とは異なる第２の距離だけ分離される、請求項１に記載の装置。
【請求項３】
少なくとも１つのポートを含む膜であって、実質的に透明であり、収着材料の第１の層が、光活性のある要素と熱連通するための高い能力を有する膜を備え、
前記膜が、前記収着材料の前記第１の層及び第２の層を取り囲む、請求項１に記載の装置。
【請求項４】
物質をロードするための装置であって、
少なくとも１つのポートを含む膜と、
収着材料の第１の層と、
前記収着材料の第２の層と、を備え、
前記膜が、前記収着材料の前記第１の層及び第２の層を取り囲み、
前記収着材料の前記第２の層が、前記収着材料の前記第１の層と平行に構成され、
前記収着材料の前記第１の層と前記第２の層が、前記収着材料の前記第１の層と前記第２の層との間に物質がロードされることを可能にする距離だけ分離され、
前記第１の層及び／又は前記第２の層の表面上への前記物質の一部の吸着と、前記第１の層と前記第２の層との間の区域への前記物質の一部の吸収によって、前記物質が前記収着材料の前記第１の層と前記第２の層との間にロードされる、装置。
【請求項５】
前記収着材料の前記第１の層及び前記第２の層と平行に構成される前記収着材料の第３の層及び前記収着材料の第４の層をさらに備え、前記収着材料の前記第３の層及び前記第４の層が、前記第１の距離とは異なる第２の距離だけ分離される、請求項４に記載の装置。
【請求項６】
物質を収着媒体にロードする及びアンロードするためのシステムであって、
ポートを含み、且つ収着媒体を収容する容器であり、収着媒体が収着材料の平行な層を備える、容器と、
前記ポートを通して及び前記容器の中に熱交換物質を循環させるように構成された伝熱コンポーネントと、
開かれたときに物質が前記ポートを通して及び前記容器の中に流れて前記収着媒体の中にロードされることを可能にする弁と、を備え、収着媒体の中にロードされるときに、物質の少なくとも幾つかの分子が収着媒体の層の表面上に吸着され、物質の分子のうちの少なくとも幾つかが収着媒体の平行な層の間の区域の中に吸収される、システム。
【請求項７】
前記ポートから追い出される物質をフィルタするフィルタをさらに備える、請求項６に記載のシステム。
【請求項８】
収着媒体からアンロードされる物質を受け入れる燃料電池をさらに備える、請求項６に記載のシステム。
【請求項９】
前記収着材料の平行な層が電気伝導率を提供し、前記容器は、前記収着材料の平行な層に電荷が印加されるように構成される、請求項６に記載のシステム。
【請求項１０】
前記収着材料の平行な層が、熱伝達のための高い利用可能性を有し、前記ポートを介して前記収着媒体の中に熱が伝達されてもよい、請求項６に記載のシステム。
【請求項１１】
前記収着材料の平行な層が電気伝導率を提供し、前記容器が、前記収着材料の平行な層に電荷勾配を印加するように構成される、請求項６に記載のシステム。
【請求項１２】
前記物質をロードするために前記収着材料に第１の極性の電圧が印加され、物質をアンロードするために前記収着材料に第２の極性の電圧が印加される、請求項９に記載のシステム。
【発明の詳細な説明】
【技術分野】
【０００１】
関連出願への相互参照
本出願は、２０１０年２月１３日に出願されたＦＵＬＬ  ＳＰＥＣＴＲＵＭ  ＥＮＥＲＧＹ  ＡＮＤ  ＲＥＳＯＵＲＣＥ  ＩＮＤＥＰＥＮＤＥＮＣＥと題する米国特許仮出願第６１／３０４，４０３号、２０１０年２月１７日に出願されたＥＬＥＣＴＲＯＬＹＴＩＣ  ＣＥＬＬ  ＡＮＤ  ＭＥＴＨＯＤ  ＯＦ  ＵＳＥ  ＴＨＥＲＥＯＦと題する米国特許出願第１２／７０７，６５１号、２０１０年２月１７日に出願されたＥＬＥＣＴＲＯＬＹＴＩＣ  ＣＥＬＬ  ＡＮＤ  ＭＥＴＨＯＤ  ＯＦ  ＵＳＥ  ＴＨＥＲＥＯＦと題するＰＣＴ出願番号ＰＣＴ／ＵＳ１０／２４４９７号、２０１０年２月１７日に出願されたＡＰＰＡＲＡＴＵＳ  ＡＮＤ  ＭＥＴＨＯＤ  ＦＯＲ  ＣＯＮＴＲＯＬＬＩＮＧ  ＮＵＣＬＥＡＴＩＯＮ  ＤＵＲＩＮＧ  ＥＬＥＣＴＲＯＬＹＳＩＳと題する米国特許出願第１２／７０７，６５３号、２０１０年２月１７日に出願されたＡＰＰＡＲＡＴＵＳ  ＡＮＤ  ＭＥＴＨＯＤ  ＦＯＲ  ＣＯＮＴＲＯＬＬＩＮＧ  ＮＵＣＬＥＡＴＩＯＮ  ＤＵＲＩＮＧ  ＥＬＥＣＴＲＯＬＹＳＩＳと題するＰＣＴ出願番号ＰＣＴ／ＵＳ１０／２４４９８号、２０１０年２月１７日に出願されたＡＰＰＡＲＡＴＵＳ  ＡＮＤ  ＭＥＴＨＯＤ  ＦＯＲ  ＧＡＳ  ＣＡＰＴＵＲＥ  ＤＵＲＩＮＧ  ＥＬＥＣＴＲＯＬＹＳＩＳと題する米国特許出願第１２／７０７，６５６号、２０１０年２月１７日に出願されたＡＰＰＡＲＡＴＵＳ  ＡＮＤ  ＭＥＴＨＯＤ  ＦＯＲ  ＣＯＮＴＲＯＬＬＩＮＧ  ＮＵＣＬＥＡＴＩＯＮ  ＤＵＲＩＮＧ  ＥＬＥＣＴＲＯＬＹＳＩＳと題するＰＣＴ出願番号ＰＣＴ／ＵＳ１０／２４４９９号、及び２００９年８月２７日に出願されたＥＬＥＣＴＲＯＬＹＺＥＲ  ＡＮＤ  ＥＮＥＲＧＹ  ＩＮＤＥＰＥＮＤＥＮＣＥ  ＴＥＣＨＮＯＬＯＧＩＥＳと題する米国特許仮出願第６１／２３７，４７６号に基づく優先権及びその利益を主張するものである。これらの出願は、参照によりその全体が組み込まれる。
【０００２】
本技術は、収着媒体を備える装置による物質の貯蔵及び／又は濾過に関する。
【背景技術】
【０００３】
再生可能資源に対する需要が増大しているが、世界は、そのエネルギー要求の多くを、石油を用いることで満たし続けている。石油の副産物燃料車、船、及び飛行機、並びに世界の多くにおいて、これは電気を発生させるために燃やされる。石油は非常に有用な物質であるが、地球が埋蔵するのは限られた量だけであり、石油が地面から引き出されるとき及びその副産物がエネルギーのために燃焼されるときに、地球の生息生物である植物と動物との両方が直接及び間接的に害される。環境を保全し、且つ増大している世界人口のエネルギー要求を満たすために、人々は石油の代わりに代替物質を代用しなければならない。
【０００４】
人類が石油を用いることから移り変わる必要があるにもかかわらず、石油と同じくらい安く且つ容易に、石油に対する需要に合致する量で得られる、処理できる、貯蔵できる、及び使用できる代替物はわずかである。したがって、石油は、世界経済において本質的な燃料のままである。石油が世界中で優勢である大きな要因は、その副産物の高い体積あたりのエネルギー密度であり、これは、炭化水素が社会の需要を満たすエネルギー容量で輸送され貯蔵されることを可能にする。ガソリンは、例えば、１キログラムあたり約４４．４メガジュール（「ＭＪ／ｋｇ」）を含有し、ディーゼル燃料は、約４５．４ＭＪ／ｋｇを含有する。双方とも容易に入手可能な、ガソリン及びディーゼルへの代替燃料である、水素及びメタンは、それぞれ約１４３ＭＪ／ｋｇ及び５５．６ＭＪ／ｋｇを含有する。しかしながら、水素及びメタンは、室温及び大気圧では気体であり、したがって、ガソリン及びディーゼルのような液体炭化水素よりもずっと密度が低い。その結果、水素ガスは、１リットルあたりほんの約０．０１０７９メガジュール（「ＭＪ／ｌ」）を含有し、メタンガスは、ほんの約０．０３７８ＭＪ／ｌを含有し、一方、ガソリンは約３２ＭＪ／ｌを含有し、ディーゼルは約３８．６ＭＪ／ｌを含有する。水素及びメタンのような気体が世界レベルで炭化水素に置き換わる場合、それらは、それらの低いエネルギー密度を体積によって補償する状態で貯蔵できなければならない。
【０００５】
水素及び他のガスをより高い体積あたりのエネルギー密度で貯蔵するための多くの方法が開発されている。第１の手法は、ガスを超高圧で貯蔵することである。この方法は、パイプラインを通してガスを輸送することを含む多くの用途に有用であるが、ガスを圧縮することに多大なエネルギーが費やされるため、ほとんどの典型的な用途に対して実行不可能である。また、高圧に耐えることができるタンクは、圧縮ガスによって燃料供給される可能性があるほとんどの車両、飛行機、又は他の機械にとって重すぎる。別の手法は、ガスを液体又はスラッシュとして貯蔵することである。この手法は、莫大な貯蔵費用を含む多くの欠点に悩まされる。例えば、最も実行可能な石油代替物のうちの１つである水素のように、多くのガスは、非常に低い温度で沸点に達し、これはそれらが極低温で貯蔵されなければならないことを意味し、ガスを液体又はスラッシュに冷却し且つこれを冷却された状態に保つことには多大な量のエネルギーが費やされるであろう。
【０００６】
水素及び他のガスはまた、吸収された物質として又は金属水素化物として、より高い体積あたりのエネルギー密度で貯蔵される場合がある。残念なことに、多くの金属水素化物は、レアアースメタルを含み、且つ貯蔵のために用いられる重金属に起因して炭化水素よりも低い質量あたりのエネルギー密度を有する。加えて、活性炭粒、炭化ティッシュ（ｃａｒｂｏｎｉｚｅｄ  ｔｉｓｓｕｅ）、ゼオライト、及び水素化物粒子のような水素を受け入れる材料は、熱伝導性に乏しく、これらの材料がガスを吸収するために冷却される場合の速度と、これらの材料がガスを放出するために加熱される場合の速度との両方が制限されることを意味する。これらの材料はまた、劣化する又は粉塵及び破片を生じる場合があり、これは、放出されるガスを汚染し、貯蔵システムの送出管、取付具、弁、及びフィルタを詰まらせる場合がある。
【０００７】
そのうえ、石油とその副産物を石油が精製される又はその副産物が消費される場所に輸送することに多大なエネルギーが費やされ、一方では、農場廃棄物のような燃料に変換することができる大量の再生可能資源が廃棄される。加えて、炭化水素が燃やされるときに、それらの副産物は一般に捨てられる。これらの副産物は地球の大気を暖めている。歴史的に、炭化水素の副産物を後で生産的に利用するために貯蔵する、処理する、又はフィルタするのはこれまで難しかった。例えば、車両製造業者は、排気がそれだけ大きな体積を占めるので、燃焼機関からの排気を貯蔵するのは実際的ではないと考えるかもしれない。同様に、炭化水素の副産物から粒子状物質を除去するフィルタが存在するが、第２の化合物から第１の化合物をフィルタする又は限られた量のスペースで副産物を別の化合物と反応させて有用な化合物をもたらすことは難しい。結果として、炭化水素の副産物は、空気中に放出され、潜在的に実りあるエネルギー源を無駄にし、地球を汚染している。
【図面の簡単な説明】
【０００８】
【図１】本技術の実施形態に従って構成される物質を貯蔵する及び／又はフィルタリングするための容器の略側断面図である。
【図２Ａ】本技術の実施形態に従って構成される表面構造を含む収着媒体の平行な層の拡大略側断面図である。
【図２Ｂ】本技術の実施形態に従って構成される表面構造を含む収着媒体の平行な層の拡大略側断面図である。
【図２Ｃ】本技術の実施形態に従って構成される表面構造を含む収着媒体の平行な層の拡大略側断面図である。
【図２Ｄ】本技術の実施形態に従って構成される表面構造を含む収着媒体の平行な層の拡大略側断面図である。
【図３】本技術の実施形態に係る収着媒体の中に物質をロードするためのプロセスの流れ図である。
【図４】本技術の実施形態に係る収着媒体から物質をアンロードするためのプロセスの流れ図である。
【図５】本技術の実施形態に従って構成される物質を貯蔵する及び／又はフィルタリングするための容器の側面図である。
【図６Ａ】本技術の実施形態に従って構成される物質を貯蔵する及び／又はフィルタリングするための容器の略側断面図である。
【図６Ｂ】本技術の実施形態に従って構成される物質を貯蔵する及び／又はフィルタリングするための容器の領域の拡大略側断面図である。
【図６Ｃ】本技術の実施形態に従って構成される物質を貯蔵する及び／又はフィルタリングするための容器の領域の拡大略側断面図である。
【図７】本技術の実施形態に従って構成される物質をフィルタリングするための装置の略側断面図である。
【図８】本技術の実施形態に従って構成される物質をフィルタリングするための装置の等角図である。
【図９】本技術の実施形態に従って構成される物質を貯蔵する及び／又はフィルタリングするための容器及び関連するシステムの略側断面図である。
【発明を実施するための形態】
【０００９】
本出願は、２００４年１１月９日に出願されたＭＵＬＴＩＦＵＥＬ  ＳＴＯＲＡＧＥ，ＭＥＴＥＲＩＮＧ  ＡＮＤ  ＩＧＮＩＴＩＯＮ  ＳＹＳＴＥＭと題する米国特許仮出願第６０／６２６，０２１号（代理人整理番号６９５４５−８０１３ＵＳ）、２００９年２月１７日に出願されたＦＵＬＬ  ＳＰＥＣＴＲＵＭ  ＥＮＥＲＧＹと題する米国特許仮出願第６１／１５３，２５３号（代理人整理番号６９５４５−８００１ＵＳ）、及び２０１０年７月２１日に出願されたＭＥＴＨＯＤ  ＡＮＤ  ＳＹＳＴＥＭ  ＯＦ  ＴＨＥＲＭＯＣＨＥＭＩＣＡＬ  ＲＥＧＥＮＥＲＡＴＩＯＮ  ＴＯ  ＰＲＯＶＩＤＥ  ＯＸＹＧＥＮＡＴＥＤ  ＦＵＥＬ，ＦＯＲ  ＥＸＡＭＰＬＥ，ＷＩＴＨ  ＦＵＥＬ−ＣＯＯＬＥＤ  ＦＵＥＬ  ＩＮＪＥＣＴＯＲＳと題する米国特許出願第１２／８０４，５０９号（代理人整理番号６９５４５−８０３７ＵＳ）の主題のその全体を参照により組み込む。本出願は、２０１０年８月１６日に本出願と同時に出願された以下のタイトルの米国特許出願、すなわち、ＭＥＴＨＯＤＳ  ＡＮＤ  ＡＰＰＡＲＡＴＵＳＥＳ  ＦＯＲ  ＤＥＴＥＣＴＩＯＮ  ＯＦ  ＰＲＯＰＥＲＴＩＥＳ  ＯＦ  ＦＬＵＩＤ  ＣＯＮＶＥＹＡＮＣＥ  ＳＹＳＴＥＭＳ（代理人整理番号６９５４５−８００３ＵＳ）、ＣＯＭＰＲＥＨＥＮＳＩＶＥ  ＣＯＳＴ  ＭＯＤＥＬＩＮＧ  ＯＦ  ＡＵＴＯＧＥＮＯＵＳ  ＳＹＳＴＥＭＳ  ＡＮＤ  ＰＲＯＣＥＳＳＥＳ  ＦＯＲ  ＴＨＥ  ＰＲＯＤＵＣＴＩＯＮ  ＯＦ  ＥＮＥＲＧＹ，ＭＡＴＥＲＩＡＬ  ＲＥＳＯＵＲＣＥＳ  ＡＮＤ  ＮＵＴＲＩＥＮＴ  ＲＥＧＩＭＥＳ（代理人整理番号６９５４５−８０２５ＵＳ）、ＥＬＥＣＴＲＯＬＹＴＩＣ  ＣＥＬＬ  ＡＮＤ  ＭＥＴＨＯＤ  ＯＦ  ＵＳＥ  ＴＨＥＲＥＯＦ（代理人整理番号６９５４５−８０２６ＵＳ）、ＳＵＳＴＡＩＮＡＢＬＥ  ＥＣＯＮＯＭＩＣ  ＤＥＶＥＬＯＰＭＥＮＴ  ＴＨＲＯＵＧＨ  ＩＮＴＥＧＲＡＴＥＤ  ＰＲＯＤＵＣＴＩＯＮ  ＯＦ  ＲＥＮＥＷＡＢＬＥ  ＥＮＥＲＧＹ，ＭＡＴＥＲＩＡＬＳ  ＲＥＳＯＵＲＣＥＳ，ＡＮＤ  ＮＵＴＲＩＥＮＴ  ＲＥＧＩＭＥＳ（代理人整理番号６９５４５−８０４０ＵＳ）、ＳＹＳＴＥＭＳ  ＡＮＤ  ＭＥＴＨＯＤＳ  ＦＯＲ  ＳＵＳＴＡＩＮＡＢＬＥ  ＥＣＯＮＯＭＩＣ  ＤＥＶＥＬＯＰＭＥＮＴ  ＴＨＲＯＵＧＨ  ＩＮＴＥＧＲＡＴＥＤ  ＦＵＬＬ  ＳＰＥＣＴＲＵＭ  ＰＲＯＤＵＣＴＩＯＮ  ＯＦ  ＲＥＮＥＷＡＢＬＥ  ＥＮＥＲＧＹ（代理人整理番号６９５４５−８０４１ＵＳ）、ＳＵＳＴＡＩＮＡＢＬＥ  ＥＣＯＮＯＭＩＣ  ＤＥＶＥＬＯＰＭＥＮＴ  ＴＨＲＯＵＧＨ  ＩＮＴＥＧＲＡＴＥＤ  ＦＵＬＬ  ＳＰＥＣＴＲＵＭ  ＰＲＯＤＵＣＴＩＯＮ  ＯＦ  ＲＥＮＥＷＡＢＬＥ  ＭＡＴＥＲＩＡＬ  ＲＥＳＯＵＲＣＥＳ（代理人整理番号６９５４５−８０４２ＵＳ）、ＭＥＴＨＯＤ  ＡＮＤ  ＳＹＳＴＥＭ  ＦＯＲ  ＩＮＣＲＥＡＳＩＮＧ  ＴＨＥ  ＥＦＦＩＣＩＥＮＣＹ  ＯＦ  ＳＵＰＰＬＥＭＥＮＴＥＤ  ＯＣＥＡＮ  ＴＨＥＲＭＡＬ  ＥＮＥＲＧＹ  ＣＯＮＶＥＲＳＩＯＮ  （ＳＯＴＥＣ）（代理人整理番号６９５４５−８０４４ＵＳ）、ＧＡＳ  ＨＹＤＲＡＴＥ  ＣＯＮＶＥＲＳＩＯＮ  ＳＹＳＴＥＭ  ＦＯＲ  ＨＡＲＶＥＳＴＩＮＧ  ＨＹＤＲＯＣＡＲＢＯＮ  ＨＹＤＲＡＴＥ  ＤＥＰＯＳＩＴＳ（代理人整理番号６９５４５−８０４５ＵＳ）、ＥＮＥＲＧＹ  ＳＹＳＴＥＭ  ＦＯＲ  ＤＷＥＬＬＩＮＧ  ＳＵＰＰＯＲＴ（代理人整理番号６９５４５−８０４７ＵＳ）、ＥＮＥＲＧＹ  ＣＯＮＶＥＲＳＩＯＮ  ＡＳＳＥＭＢＬＩＥＳ  ＡＮＤ  ＡＳＳＯＣＩＡＴＥＤ  ＭＥＴＨＯＤＳ  ＯＦ  ＵＳＥ  ＡＮＤ  ＭＡＮＵＦＡＣＴＵＲＥ（代理人整理番号６９５４５−８０４８ＵＳ）、及びＩＮＴＥＲＮＡＬＬＹ  ＲＥＩＮＦＯＲＣＥＤ  ＳＴＲＵＣＴＵＲＡＬ  ＣＯＭＰＯＳＩＴＥＳ  ＡＮＤ  ＡＳＳＯＣＩＡＴＥＤ  ＭＥＴＨＯＤＳ  ＯＦ  ＭＡＮＵＦＡＣＴＵＲＩＮＧ（６９５４５−８０４９ＵＳ）の各々の主題のその全体を参照により組み込む。
【００１０】
物質を貯蔵する及び／又はフィルタリングするためのシステム、装置、及び方法が説明される。収着媒体は、或る距離又は様々な距離だけ離間される収着材料の平行な層を備える。物質は、収着媒体の縁部で与えられる。収着媒体の縁部は、収着媒体の層の間の区域へのアクセスを提供する。収着媒体の中への物質の分子のロード（すなわち吸収及び／又は吸着）を容易にするために及び／又はロードを引き起こすために、熱が収着媒体から離して伝達されてもよい。同様に、収着媒体が物質の分子をロードするのを容易にするために及び／又はロードを引き起こすために、収着媒体に第１の極性の電圧が印加されてもよい。同じように、収着媒体が物質の分子をロードするのを容易にするために及び／又はロードを引き起こすために、収着媒体によって経験される圧力が増加されてもよい。幾つかの実施形態において、収着媒体はまた、物質をロードする表面構造を備える。幾つかの実施形態において、触媒は、収着媒体に物質をロードするのを容易にする。物質は、収着媒体に熱を伝達すること、第１の極性とは反対の極性の電圧を収着媒体に印加すること、及び／又は収着媒体によって経験される圧力を低下させることによって、収着媒体からアンロードすることができる。
【００１１】
幾つかの実施形態において、収着媒体は、容器の中に封入される。幾つかの実施形態において、収着媒体は管に構成される。幾つかの実施形態において、収着媒体は物質のすべての分子をロードし、一方、他の実施形態において、収着媒体は、物質の特定化合物の分子（単数又は複数）のみをロードする。幾つかの実施形態において、収着媒体は物質をフィルタする。幾つかの実施形態において、収着媒体は物質を貯蔵する。幾つかの実施形態において、収着媒体にロードされる物質と別の物質との間の化学反応に触媒作用を及ぼすために、収着媒体の少なくとも一部に触媒が適用される。
【００１２】
システム、装置、及び方法が種々の実施形態に関してここで説明されるであろう。以下の説明は、システム、装置、及び方法のこれらの実施形態の十分な理解のための具体的な詳細、及びそれを可能にする説明を提供する。しかしながら、これらの詳細なしにシステムが実施されてもよいことを当業者は理解するであろう。他の場合には、システムの実施形態の説明を不必要に不明瞭にすることを避けるために、周知の構造及び機能は詳細には図示又は説明されていない。
【００１３】
以下で提示される説明で用いられる用語は、システムの或る具体的な実施形態の詳細な説明と組み合わせて用いられていても、その最も広い妥当な様式で解釈されることを意図される。或る用語は、以下で強調される場合もあるが、任意の制約された様式で解釈されることを意図された任意の用語は、この詳細な説明のセクションで明白に及び具体的に定義されるであろう。
【００１４】
図１は、本技術の実施形態に係る物質を貯蔵する及び／又はフィルタリングするための容器２の略側断面図である。容器２は、第１のポート１０を通してガスのような物質を受け入れ、物質は、容器２内の収着媒体６を通して走る多孔通路４を通過する。第１の弁１３と第２の弁１８は、容器２に出入りする物質の量を制御するために様々な度合いに開かれ又は閉じられてもよい。物質は、多孔通路４の穿孔を通して収着媒体６の第１の縁部１５に与えられ、収着媒体６は、収着材料の層上に及び層の間の区域に物質をロードする（すなわち、吸収する及び／又は吸着する）収着材料の平行な円盤形の層を備え、収着媒体の中にロードされる物質の体積を減少させる。その結果、容器２は、物質が大気温度及び圧力で出る密度よりもかなり高い密度で物質を貯蔵するように構成することができる。容器２は、収着媒体６から放出された後の物質を追い出す（ｅｘｐｅｌ）のに用いることができる第２のポート１１を含む。幾つかの実施形態において、容器２は、物質の特定の化合物のみが収着媒体６によってロードされ、且つ物質の残りの化合物がロードされることなく容器２を通過するように構成される。その結果、容器２はまた、物質をフィルタするようにも構成することができる。
【００１５】
Ａ．収着媒体と表面構造
容器２の収着媒体６は、物質の分子がその上に及びその間に吸着され及び吸収される、収着材料の平行な層を備える。平行な層に適した材料は、グラフェン、グラファイト、窒化ホウ素、セラミックス、金属、又はポリマーを含み、これらの材料の種々の組合せ及び順列を含む。以下で解説するように、幾つかの実施形態において、材料は、収着媒体６からの物質のロード又はアンロードを容易にするために熱が各層を通して伝達され及び各層から除去されることを可能にする、熱伝達のための高い利用可能性を有する。同様に、幾つかの実施形態において、材料は導電性であり、物質のロード又はアンロードを容易にするために平行な層のうちの層の両端に電圧が印加される。グラフェンは、それが導電性であり、熱伝達のための高い利用可能性を有することから、収着媒体６に適した材料の例である。幾つかの実施形態において、各々の平行な層は、１原子のみの厚さであり、一方、他の実施形態において、層のうちの幾つか又はすべては、１原子よりも大きい厚さである。幾つかの実施形態において、収着媒体６の層の熱伝導性及び電気伝導性は、層の厚さを変化させることによって調節される。
【００１６】
収着媒体６は、多くの技術のうちのいずれかを用いて平行な層に製造し及び構成することができる。幾つかの実施形態において、収着媒体の平行な層は、単結晶から剥離される。例えば、幾つかの実施形態において、単結晶グラファイトが円盤のような所望の形状に成長され及び／又は機械加工され、原子と同じくらい薄い層が結晶から剥離される。剥離される前にグラファイト結晶を通した穴が開けられてもよく、結晶が剥離されている間、多孔通路４のような中央基体が結晶を定位置に保持してもよい。参照により本明細書に組み込まれる米国特許第６，５０３，５８４号及び米国特許仮出願第６１／３０４，４０３号は、１原子と同じくらい薄い収着材料の層をもたらすために単結晶を剥離するのに適したシステム及び方法を説明する。マイカ、ゼオライトを形成する鉱物、及び窒化ホウ素のような化合物を含む多くの他の材料が類似の技術を用いて剥離されてもよい。
【００１７】
収着媒体６の層はまた、化合物を脱水素化することによって形成することができる。例えば、炭化水素を解離させて炭素と水素を生じさせるために、メタンのような炭化水素にエネルギーを適用することができる。例えば、収着媒体の層にとって十分な炭素を生じるのに充分な時間だけメタンに電気を適用することができる。結果として得られる炭素を基体上に堆積し又は所望の形状に形作ることができる。これらのグラフェン堆積物は、互いに平行な基体上に構成されてもよい収着媒体の層に自己組織化（ｓｅｌｆ−ｏｒｇａｎｉｚｅ）するであろう。
【００１８】
収着媒体６の平行な層は、収着媒体６の層の表面上及び収着媒体６の層の間の区域への物質の分子のロードを可能にする距離だけ互いから離間される。図２Ａは、本技術の実施形態に係る収着媒体６の領域２００の拡大略側断面図を示す。収着媒体６の平行な層２２の表面上に種々の表面構造２０が適用される。これらの表面構造２０は、ナノチューブ２０ａ、ナノスクロール（ｎａｎｏ−ｓｃｒｏｌｌ）２０ｂ、並びに多孔質ティッシュ、剥離されたティッシュ、炭化ティッシュ、ロッド２０ｃ、及び花状構造２０ｄのような種々の他の高い表面ナノ構造を含むことができる。幾つかの実施形態において、表面構造は、収着媒体がより多くの物質をロードすることを可能にする。幾つかの実施形態において、表面構造は、収着媒体が物質の特定の化合物をロードすることを可能にする。幾つかの実施形態において、表面構造は、収着媒体が物質の分子をより迅速にロードし及び／又はアンロードできるようにする。幾つかの実施形態において、特定のタイプの表面構造が、別の表面構造よりも好ましい。例えば、幾つかの実施形態において、ナノスクロールは、ナノチューブよりも好ましい場合がある。ナノスクロールは物質の複数の分子を同時にロードでき及びアンロードできる場合があるが、一方、ナノチューブは一度に一分子だけをロードでき又はアンロードできる場合があるので、ナノスクロールは、ナノチューブが可能であるよりも迅速に物質の分子をロードでき及びアンロードできる場合がある。幾つかの実施形態において、第１のタイプの表面構造は第１の化合物をロードし、第２のタイプの表面構造は第２の化合物をロードする。幾つかの実施形態において、表面構造２０は、導電性である及び／又は熱伝達のための高い利用可能性を有する材料からなる。幾つかの実施形態において、表面構造は炭素からなる。
【００１９】
表面構造は、多くの異なる技術を用いて収着媒体６の層上に構成することができる。上記で参照される同時係属出願は、表面構造２０を平行な層２２の表面上に構成するための多くの方法を開示する。幾つかの実施形態において、表面構造は、それらが適用される層の格子構造によってエピタキシャルに配向される。幾つかの実施形態において、表面構造は、隣接する層が層の隣に構成される前に、収着材料の層上に被覆される。幾つかの実施形態において、化合物は、表面構造２０を形成するために収着媒体６の層上で脱水素化される。幾つかの実施形態において、表面構造は、収着媒体６の平行な層の間でそれらを所望の距離だけ分離するスペーサとして働く。
【００２０】
幾つかの実施形態において、平行な層の間の距離は、平行な層の各々の表面上に物質の１分子の厚さの層をロードするのに十分なだけの大きさである。他の実施形態において、距離は、平行な層の各々の表面上及び層の表面上ではなく平行な層の間の区域における物質の少なくとも１分子の厚さの層上に分子をロードするのに十分に大きい。例えば、物質の分子は、収着媒体６の層２２の表面上及び層２２の間の区域２０４にロードされてもよい。幾つかの実施形態において、収着媒体６の平行な層は、９０Å離して構成される。収着媒体６の平行な層は、例えば、天然ガスをロードするために９０Åだけ分離されてもよい。幾つかの実施形態において、収着媒体６の層は、９０Å以上又は９０Å未満の距離をおいて構成される。例えば、幾つかの実施形態において、距離は、１２０Å以上であり、他の実施形態において、距離は６０Å未満である。
【００２１】
幾つかの実施形態において、収着媒体６の各層の間の距離は同じであり、一方、他の実施形態において、層の間の距離は、平行な層のうちの幾つかの間でのみ変化する又は同じである。例えば、平行な層のうちの幾つかは、メタンのような第１の化合物の分子をロードできるようにする距離で離間されてもよく、平行な層のうちの幾つかは、水素のような第２の化合物の分子をロードできるようにする距離に離間されてもよい。図２Ｂは、本技術の別の実施形態に係る収着媒体６の領域２００の拡大略側断面図を示す。収着媒体６の平行な層２２に表面構造２０が適用される。平行な層２２は、第１の区域２１０が第２の区域２１２のサイズとは異なるサイズであり、同じく第２の区域２１２のサイズは第３の区域２１４のサイズとは異なるサイズであるように、異なる距離だけ離間される。前述のように、変化される間隔は、種々の区域への異なる分子の優先的なロードを可能にする場合がある。例えば、第１の区域２１０は、メタンをロードするように構成されてもよく、第２の区域２１２は、水素をロードするように構成されてもよい。図２Ｃは、本技術の別の実施形態に係る収着媒体６の領域２００の拡大略側断面図を示す。図２Ｃの実施形態において、収着媒体６の層２２は、収着媒体が区域２２２のような第１のサイズの区域と区域２２４のような第２のサイズの区域とを備えるように距離を変化させることによって、互いから離間される。
【００２２】
幾つかの実施形態において、表面構造２０はサイズが変化する。例えば、図２Ｂにおいて、幾つかのナノチューブ２０ａは、他のナノチューブ２０ａよりも長い。幾つかの実施形態において、表面構造のサイズを変化させることで、それらが物質をロードする及びアンロードする場合の速度が変化する。幾つかの実施形態において、表面構造のサイズは、第２の化合物よりも第１の化合物を優先的にロードするために又は収着媒体６の層の間の間隔を変化させるために増加され又は減少される。
【００２３】
幾つかの実施形態において、収着媒体の層の間の区域は第１のタイプの表面構造のみを含む。例えば、第３の区域２１４はナノチューブのみを含む。収着媒体の平行な層の間の区域は、特定化合物を収容するために特定のタイプの表面構造のみを含んでもよい。例えば、ナノチューブがナノスクロールよりも高密度で水素をロードできるので、第３の区域２１４はナノチューブ２０ａのみを含んでもよく、水素は第３の区域２１４にロードされることになる。幾つかの実施形態において、収着媒体の層の間の区域は、特定化合物（単数又は複数）を収容するために２つのタイプの表面構造のみを含む。例えば、ナノスクロールはメタンを高密度でロードでき、ロッドはメタンを高密度でロードすることができないがメタンを高速でロードでき及びアンロードできるので、第２の区域２１２はナノスクロール２０ｂ及びロッド２０ｃのみを含んでもよい。したがって、ナノスクロール２０ｂとロッド２０ｃは、特定の用途において互いの弱さを補う可能性がある。幾つかの実施形態において、収着媒体の層上に構成される表面構造のすべては１つのタイプのものであってもよい。例えば、収着媒体は、特定の用途のためにナノチューブのみを含んでもよい。
【００２４】
幾つかの実施形態において、表面構造２０は収着媒体の層２２と垂直に配向される。他の実施形態において、表面構造２０のうちの少なくとも幾つかは、収着媒体の層２２と垂直に配向されず、代わりに異なる角度に配向される。図２Ｃにおいて、表面構造２０は、層２２から９０度以上異なる角度に配向される。表面構造は、表面構造の表面積を増加させ、表面構造によって分子がロードされる速度を増加させ、表面構造のロード密度を増加させ、特定の化合物の分子を優先的にロードする、又は別の理由のために特定の角度に配向されてもよい。
【００２５】
幾つかの実施形態において、表面構造は、それが取り付けられる収着媒体６の層の材料とは異なる材料からなる。図２Ｄは、本技術の別の実施形態に係る収着媒体６の領域２００の拡大略側断面図を示す。収着媒体の平行な層２２は、グラフェンのような第１の材料からなる。表面構造２０は、窒化ホウ素のような第２の材料からなる。幾つかの実施形態において、平行な層２２に窒化ホウ素が堆積される前にグラフェンにホウ素界面が適用される。表面構造は、多くの異なる材料のいずれかからなってもよい。例えば、幾つかの実施形態において、ナノチューブ２０ａ、ナノスクロール２０ｂ、ロッド２０ｃ、及び／又は花状構造２０ｄは、水素化ホウ素、ジボラン（Ｂ2Ｈ6）、水素化アルミニウムナトリウム、ＭｇＨ2、ＬｉＨ、水素化チタン、及び／又は別の金属水素化物又は別の化合物からなる。ホウ素界面上の水素化ホウ素生成は吸熱であり、それが適用される平行な層を通して除去されなければならない生成熱を有する。水素は、例えば、同様に水素の迅速なアンロードを可能にする水素化ホウ素の優れた熱伝導率のために、迅速にロードされて比較的不安定な水素貯蔵を形成する場合がある。
【００２６】
平行な層の間の距離は、多くの技術のうちのいずれかを用いて制御されてもよい。幾つかの実施形態において、表面構造は、収着媒体６の層の表面上に適用され、収着媒体６の平行な層を特定距離だけ分離するように構成される。図２Ｄにおいて、例えば、区域２２６における表面構造のような隣接する層からの表面構造２０は、互いに接触し、区域２２６のサイズを調整する。幾つかの実施形態において、平行な層は、多孔通路４のような支持基体上に構成され、所望の分離を達成するために層を互いから反発させる電荷などが平行な層に印加される。平行な層はまた、製造中又は層が基体上に構成されている間に、層の間にスペーサとして働く原子又は化合物を堆積することによって所望の距離だけ分離されてもよい。例えば、化合物が脱水素化されるとき、生産される収着媒体６の各層の間にセパレータ原子又は分子が適用されてもよい。幾つかの実施形態において、収着媒体６の平行な層は、加熱され膨張させられて層の間にセパレータ原子又は化合物が挿入されることを可能にするホスト材料から形成され、これはセパレータ原子又は化合物を有する区域の中にホスト材料が収縮するのを防ぐ。収着媒体６の２つの層の間の距離はまた、層を所定の距離をおいて配置するのに必要な仕事を提供するのに十分な力を誘起する層の又は２つの層の間のスペーサの相変化によって、制御することができる。層の間の距離は、層との間での熱の伝達を容易にするため、層の間に光を通すため、触媒の目的で、及び／又は湿らせる（ｄａｍｐｅｎｉｎｇ）目的で、容器２に構造的支持を提供するように調節されてもよい。
【００２７】
物質は、収着媒体６の平行な層の表面及び表面構造２０上に吸着されることによって、及び表面構造２０の中に及び収着媒体６の層の間の区域の中に吸収されることによって、収着媒体６の中にロードされる。図３は、収着媒体６の中に物質をロードするためのプロセスの流れ図である。ブロック３００において、物質は、収着媒体の縁部で与えられる。収着媒体６の縁部は、収着媒体の層の間の区域へのアクセスを提供する領域を含む。例えば、図１の容器２は、円盤形の層を備え、収着媒体６の内縁部１５は、収着媒体の層の間の区域へのアクセスを提供する。物質の分子は、収着媒体６の内縁部１５からロードされてもよい。
【００２８】
ブロック３１０において、物質の分子が収着媒体６の層の表面上に吸着される。本明細書の全体を通して説明されるように、収着媒体６から熱が取り出されるとき、収着媒体６に電圧が印加されるとき、及び／又は収着媒体６によって経験される圧力が増加されるときに、収着媒体６は物質をロードする場合がある。幾つかの実施形態において、触媒は、物質のロードを容易にする又は引き起こす。
【００２９】
ブロック３２０において、物質の分子が、収着媒体６の層上に構成される表面構造の表面上に吸着される。例えば、物質の分子は、収着媒体の層の表面上に構成されるナノロッドの表面上に吸着されてもよい。ブロック３３０において、物質の分子が表面構造の中に吸収される。例えば、物質の分子は、収着媒体６の層の表面上に位置するナノチューブの中に吸収されてもよい。
【００３０】
ブロック３４０において、物質の分子が収着媒体６の層の間の区域の中に吸収される。幾つかの実施形態において、物質の分子は、分子がその上に吸着されることになるための残りの表面が存在しないような密度に分子が層の表面上に吸着されるまでは、収着媒体６の２つの層の間の区域の中にガス溶液として吸収されず、ロードされる残りの分子は２つの層の間の区域の中にガス溶液として吸収される。幾つかの実施形態において、物質の分子は、収着媒体６の縁部を介して吸着され、新たに吸着される分子からの力によって先に吸着された分子が収着媒体の層の間の区域の中に浮遊することとなり、吸収されるガス溶液の一部となるまで、先に吸着された分子を収着媒体６のより深くに押しやる。幾つかの実施形態において、物質の分子は物質の幾つかの分子が吸着される前に吸収され、又は物質の分子は物質の分子が吸着されるのと同時に吸収されることが当業者には分かるであろう。
【００３１】
物質は、収着媒体６の平行な層の表面及び表面構造２０上に吸着された状態から脱着されることによって、及び表面構造２０に及び収着媒体６の層の間の区域の中に吸収された状態から脱着されることによって、収着媒体６からアンロードされる。図４は、収着媒体６から物質をアンロードするためのプロセスの流れ図である。ブロック４００において、物質の分子は、収着媒体６の層の表面上に吸着された状態から脱着される。本明細書の全体を通して解説されるように、収着媒体の中にロードされている分子は、収着媒体に熱を伝達することによって、分子をロードするために印加される電圧とは反対の極性の電圧を収着媒体の両端に印加することによって、収着媒体によって経験される圧力を減少させることによって、及び／又は収着媒体を照射し、収着媒体を物理的に乱す機構のような他の機構によって、アンロードされてもよい。
【００３２】
ブロック４１０において、物質の分子は、収着媒体６の表面構造の表面上に吸着された状態から脱着される。ブロック４２０において、物質の分子は、収着媒体の表面構造６の内部に吸収された状態から脱着される。上記で説明されたように、異なる種類の表面構造が、吸収された物質の分子を異なる速度で脱着させることができる。例えば、幾つかの実施形態において、ナノ花状構造は、吸着された物質をナノチューブよりも速く脱着させ、一度に吸収された物質の１分子だけを脱着することができる場合がある。
【００３３】
ブロック４３０において、物質の分子は、収着媒体６の層の間の区域から吸収された状態から脱着される。ブロック４４０において、脱着される分子が、収着媒体から収着媒体の縁部の外に追い出される。幾つかの実施形態において、吸着された分子、したがって収着媒体と接触している分子が最初に脱着される。幾つかの実施形態において、吸収された分子が最初に脱着される。しかしながら、幾つかの実施形態において、収着媒体の層の表面上に吸着された分子、収着媒体の表面構造の表面上に吸着された分子、表面構造の中に吸収された分子、及び収着媒体の層の間の区域の中に吸収された分子が一緒に脱着される。収着媒体は、一般に、ロードされた物質の分子を大量にアンロードすることができる。例えば、収着媒体は、コンデンサが蓄積した電荷をアンロードする方法と同じように分子をアンロードしてもよい。
【００３４】
Ｂ．多孔通路と閉じ込め
図１に戻って参照すると、物質は、第１のポート１０又は第２のポート１１のいずれかを通して容器２の中に導入され、物質は、多孔通路４を介して収着媒体６に与えられる。幾つかの実施形態において、多孔通路４は多孔管である。他の実施形態において、多孔通路４はワイヤークロスである。多孔通路４は、容器２を長手方向に補強することができ、これはまた、収着媒体６を冷却又は加熱するために流体を循環させることができる。幾つかの実施形態において、容器２は、２つよりも多いポート又は少ないポートを含む。例えば、物質を貯蔵するための容器は、１つのポートのみを含んでもよい。
【００３５】
収着媒体６は、多孔通路４の穿孔を通して収着媒体の内縁部１５に与えられる物質をロードする。収着媒体６は、収着媒体６の内縁部１５から物質の分子をロードする。容器２は、容器２内に体積を含むために平行な層の外縁部１７上のケーシング１６を含み、これは、ロードされる物質の分子が平行な層の外縁部１７を介して容器から逃げるのを防ぐ。
【００３６】
ケーシング１６は、低透過性膜１４を備える。適した膜材料は、グラファイトホイル、ラップされる、深絞りされる、又はスピン成形されるチタン、アルミニウム、又はステンレス鋼、及び電鋳されるニッケルを含む。ポリエチレンテレフタレート、エチレンクロロトリフルオロエチレン、ポリフッ化ビニリデン、及びポリオレフィンの金属化された薄膜を含む種々の複合材が膜に用いられてもよい。金属化するために用いることができる材料は、鉄、アルミニウム、チタン、クロム、ニッケル、又はスパッタ合金を含む。幾つかの実施形態において、膜１４は、導電性であり、及び／又は熱を伝達する高い能力を有する。
【００３７】
膜１４は、高強度接着剤又は拡散ろう付け配合物を用いて収着材料の平行な層の外縁部１７に固定される。膜１４を平行な層の外縁部１７に固定するために、エポキシ（ａｐｏｘｉｓ）、フェノール−ホルムアルデヒド、メラミン−ホルムアルデヒド、シリコン、及びシロキサンを含有するものを含む付加型ポリイミドのような熱硬化性樹脂と、芳香族ポリエステル、不飽和ポリエステル、及びポリエーテルイミドのような熱可塑性樹脂とを含む、種々の接着剤が用いられてもよい。膜１４を平行な層の外縁部１７上に拡散接合するために、外縁部１７はまた、例えばダイヤモンド状物質を含む物質で被覆されてもよい。膜１４を平行な層の外縁部１７に固定するために種々の他の炭素堆積物を用いることもできる。
【００３８】
ケーシングはまた、膜１４の上に適用される高強度ロービング、ヤーン、又はファイバを用いて、多孔通路４の半径方向の補強を横断する方向に容器２を補強してもよい。幾つかの実施形態において、米国特許第６，５０３，５８４号で説明される伝熱フィンのような長手方向の波形部が膜の上に適用されてもよい。膜１４とフィンとの間の熱交換を妨害することを避けながら波形にされた表面のロードを膜１４の上に拡散させるために、軸方向の補強ロービングが伝熱フィンの上に適用されてもよい。
【００３９】
Ｃ．熱交換
幾つかの実施形態において、物質のロードを容易にするために収着媒体６から熱が除去され、収着媒体６がロードした物質のアンロードを容易にするために収着媒体６に熱が加えられる。上記で解説されたように、収着媒体６の層は、熱伝達のための高い利用可能性を有する材料からなってもよく、これは、収着媒体６の層との間で、平行な層上に構成される表面構造２０の中に及び外にでさえも熱を伝達できるようにする。
【００４０】
図１に描かれた容器２は、収着媒体６との間で熱を伝達するように設計される種々のコンポーネントを含む。例えば、容器２は、収着媒体６の平行な層との間で熱を伝達することができる、収着媒体６の周辺を取り囲む連続的な伝熱管８を含む。幾つかの実施形態において、ケーシング１６は、容器２と伝熱管８を保護し且つ断熱する外側ケーシング１９を含み、収着媒体と伝熱管８のための構造的支持を提供する。図５は、外側ケーシングなしの容器２の側面図を示す。伝熱管８は、容器２の周辺の周りにラップされ、膜１４上に直接に位置決めされる。冷却要素と加熱要素とを含むポンプ２１は、収着媒体６に熱を加える又は収着媒体６から熱を除去するために、加熱された又は冷却されたアルゴン、二酸化炭素、一酸化炭素、若しくは別のガス又は流体を、管８を通して循環させることができる。幾つかの実施形態において、熱はまた、加熱された又は冷却されたガス又は液体を多孔通路４に通すことによって収着媒体６との間で伝達される。
【００４１】
熱はまた、他の方法を用いて収着媒体６に適用することができる。幾つかの実施形態において、熱交換流体又はガスが通る付加的な管が、容器内に構成される。幾つかの実施形態において、収着媒体６に熱を伝達するために、抵抗加熱要素が容器内に構成される。幾つかの実施形態において、容器２のケーシング１６と膜１４は、実質的に透明であり、容器２に光が入って、光活性のある表面構造２０に接触し、表面構造と収着媒体６の層を加熱することを可能にする。幾つかの実施形態において、光活性のある要素は、最大限の量の光を受けるために平行な層の外縁部１７の間に配置される。
【００４２】
Ｄ．圧力スイング
幾つかの実施形態において、物質は、容器内の圧力をシフトすることによって収着媒体の中にロードされ又は収着媒体からアンロードされる。図１に戻ると、幾つかの実施形態において、容器２の内部の圧力は、第２の弁１８を閉じ、収着媒体６が物質をロードし始める点に容器内の圧力が増加するまで第１のポート１０を通して物質をポンピングすることによって調節される。幾つかの実施形態において、容器２は、高圧パイプライン内に接続され、容器内の圧力を収着媒体６が容器２を通る物質又は物質の特定のコンポーネントの幾らかをロードすることができるのに十分なだけ高いままにする。この詳細な説明の全体を通してより詳細に解説されるように、物質の特定の化合物のみをロードする容器２はフィルタとして用いられてもよい。
【００４３】
容器２内の圧力はまた、物質を収着媒体６内に高圧で貯蔵することによって、及び第１の弁１３又は第２の弁１８を開いて容器２内の圧力を低下させることによって調節することができる。例えば、天然ガスは、容器２内に高圧でロードされてもよく、第２の弁１８は、容器２内の圧力を低下させて収着媒体６に天然ガスをアンロードさせるために開かれてもよい。幾つかの実施形態において、物質は、第１の弁１３を通して容器２の中にロードされ、第２の弁１８は、ある程度閉じられ、物質が容器２を通して流れるのを妨げ、容器２内の圧力を増加させて、収着媒体６に幾らかの物質をロードさせる。幾つかの実施形態において、圧力スイングは、収着媒体６に電荷を適用することによって引き起こされる。
【００４４】
Ｅ．電位
幾つかの実施形態において、物質のロード又はアンロードを容易にするために収着媒体６の層の両端に電圧が印加される。収着媒体６に電圧が印加されるとき、収着媒体６は、物質をより速くロードする、電圧が印加されないときとは異なる物質の化合物をロードする、より低い温度又は圧力で物質をロードする、及び／又はより多くの物質を層の間の区域にロードすることができ、これにより容器２の貯蔵密度を増加する。
【００４５】
図６Ａは、収着媒体６の平行な層のうちの少なくとも幾つかに電圧を印加するために容器２に接続されてもよい回路と電源を備える電源装置６０１を含む容器２の略側断面図である。膜１４は、グラフェンのような電気伝導性材料からなる。電源装置６０１の第１の端子６０５は、膜１４に電気的に接続される。多孔通路４はまた、チタン、モネル４００、又は銅のような電気伝導性材料からなる。第２の端子６０６は、多孔通路４に電気的に接続される。誘電体材料からなるガスケット６０２は、膜１４と多孔通路４を電気的に分離する。膜１４は、収着媒体６に電気的に接続され、同様に、多孔通路４は、収着媒体６の平行な層の内縁部１５の各々に電気的に接続される。その結果、収着媒体６の平行な層の各々の両端に電荷が適用される。
【００４６】
幾つかの実施形態において、膜は、種々の回路６０８を通じて収着媒体６の層を電気的に接続し、膜１４と多孔通路４との間に電圧が印加されるときに異なる収着媒体６の層の両端に異なる電圧を印加させる。幾つかの実施形態において、回路６０８は、膜１４と収着媒体６との間に構成される。幾つかの実施形態において、回路６０８は、膜１４の一部として又は膜の外部に構成される。図６Ｂは、本技術の実施形態に係る容器の領域６１０の拡大略側断面図である。回路６０８は、収着媒体６の少なくとも幾つかの層に膜１４を接続する種々のコンポーネントを含む。例えば、導電要素６２０は、膜１４を幾つかの収着媒体の層に電気的に接続するが、他の収着媒体６の層には電気的に接続せず、膜１４に電気的に接続される収着媒体の層の間の帯電した区域６１３と、膜１４に電気的に接続されない収着媒体の層の間の帯電していない区域６１１とをもたらす。
【００４７】
幾つかの実施形態において、収着媒体６の複数の層の両端に電荷勾配が適用される。例えば、電荷勾配は、２０個の隣接する収着媒体６の層の両端に適用されてもよく、この場合、各層には、次の隣接する層よりも少ない電荷が印加される。電荷勾配は、物質の群から特定の物質（単数又は複数）をフィルタリングするときに有用である。例えば、２０個の連続的な層の両端に電荷勾配が適用され、且つ物質が容器２の中に導入される場合、高い絶縁耐力を有する物質の特定のコンポーネントは、電荷勾配が最も強い電荷勾配の中央にロードされるであろう。低い絶縁耐力を有する物質の特定のコンポーネントは、結果として、電荷勾配が最も弱い電荷勾配の端にロードされるであろう。実例として、電荷勾配が適用されるときに窒素と水素が収着媒体の中にロードされる場合、窒素は勾配の中央にロードされ、水素は勾配のいずれかの側にロードされるであろう。
【００４８】
電荷勾配を適用するために、幾つかの実施形態において、膜と収着媒体６の各層との間に、抵抗値が変化する電気抵抗器が構成される。図６Ｃは、本技術の実施形態に係る容器の領域６１０の拡大略側断面図である。回路６０８は、収着媒体６の少なくとも幾つかの層に膜１４を接続する種々のコンポーネントを含む。第１の抵抗器６２４は第１のインピーダンスを有し、第２の抵抗器６２５は第２のインピーダンスを有し、第３の抵抗器６２６は第３のインピーダンスを有し、第４の抵抗器６２７は第４のインピーダンスを有し、第５の抵抗器６２８は第５のインピーダンスを有し、第６の抵抗器６３０は第６のインピーダンスを有する。抵抗器は、膜１４を収着媒体６の平行な層２２に接続する。第１のインピーダンスは第２のインピーダンスよりも大きく、第２のインピーダンスは第３のインピーダンスよりも大きく、第３のインピーダンスは第４のインピーダンスよりも大きく、以下同様である。したがって、膜１４に電荷が印加されるときに、第６の抵抗器６３０を介して膜１４に接続される収着媒体の層は、第５の抵抗器６２８を介して膜１４に接続される収着媒体の層よりも高い電圧を経験し、以下も同じである。第１の抵抗器６２４を介して膜１４に接続される収着媒体の層は、描かれた層２２の外へ最も低い電圧を経験するであろう。幾つかの実施形態において、収着媒体６の層は、誘電体材料によって電気的に分離されてもよい。
【００４９】
幾つかの実施形態において、電源は、容器２に第１の極性の電圧を供給するように構成され、これはまた、容器に反対の極性の電圧を供給するようにも構成される。例えば、電源は、収着媒体にロードするために第１の端子６０５がカソードであり第２の端子６０６がアノードであってもよく、且つ収着媒体にアンロードするために第１の端子６０５がアノードに切り換えられ第２の端子６０６がカソードに切り換えられてもよいように構成される。
【００５０】
Ｆ．触媒
幾つかの実施形態において、物質のロード又はアンロードを容易にするために又は化学反応に触媒作用を及ぼすために、平行な層に触媒が適用される。図１に戻ると、触媒は、収着媒体６の層の表面上（すなわち、隣接する層に面する層の表面上）又は層の縁部上のみに適用されてもよい。幾つかの実施形態において、収着媒体６の第１の層は、第１の層に隣接する収着媒体６の第２の層が構成される前に触媒で被覆される。幾つかの実施形態において、触媒は、収着媒体６の内縁部１５又は外縁部１７上にのみ適用される。
【００５１】
幾つかの実施形態において、触媒は、収着媒体６への特定の物質のロードを容易にし、及び／又は物質を収着媒体６により速く又はより高密度にロードさせる。例えば、水素とメタンを含む物質が収着媒体の平行な層の内縁部１５に与えられてもよい。炭化チタン又は炭化鉄（例えば、Ｆｅ3Ｃ）のような屈折性炭化物を備える触媒を平行な層の内縁部１５上に適用し、それらにメタンではなく水素をロードさせてもよい。結果として、物質から水素をフィルタすることができる。別の例として、天然ガスの外への水素のロードを容易にするために、４８％の鉄、４９％のチタン、及び３％のイットリウムからなる触媒が収着媒体６に適用されてもよい。
【００５２】
幾つかの実施形態において、触媒は、２つの化合物の間の化学反応に触媒作用を及ぼし、反応生成物が収着媒体６の中にロードされる。例えば、イオン化する紫外線又は誘起される火花を用いて空気からオ区域が生成される場合がある。オ区域は、収着材料の層の内縁部１５に適用されるクロミア（ｃｈｒｏｍｉａ）のような触媒を用いてメタンと反応して、酸素とメタノールを生成する場合があり、そのいずれかが収着媒体６によってロードされる。幾つかの実施形態において、第２の反応生成物が容器２を通して第２のポート１１を出るが、一方、他の実施形態において、第２の生成物の少なくとも一部はまた収着媒体６によってロードされる。１つの例において、収着媒体６の層の内縁部１５に与えられる物質は、メタンと水を含有し、収着媒体６の層の内縁部１５上に炭化鉄触媒が適用される。収着媒体６にエネルギーが印加され、メタンと水との間に化学反応を引き起こして、メタノールと水を生成する。次いで、収着媒体はメタノールと水をロードする。
【００５３】
幾つかの実施形態において、容器がフィルタとして用いられるときに、ロードされる物質を容器２から空にすることができるように、容器を定期的に取り外さなければならない。例えば、メタンガスの流れから二酸化炭素がフィルタされる場合、収着媒体６は、二酸化炭素で飽和される場合があり、メタンガスからさらなる二酸化炭素がフィルタされる前に、二酸化炭素を収着媒体６から除去する必要がある場合がある。
【００５４】
化学反応を容易にするために収着媒体６の縁部に種々の触媒が適用されてもよい。例えば、適した触媒は、マンガンで助触媒作用を及ぼされる銅、亜鉛、又はジルコニア；銅又は亜鉛をドープされ且つ助触媒作用を及ぼされるジルコニウム又はマンガン；マンガンをドープされる銅、亜鉛、又はジルコニウム；又は鉄、マンガン、ニッケル、クロム、バナジウム、及び他の遷移金属の酸化物を含む。
【００５５】
Ｇ．向流フィルタ
図７は、ロードされる物質をアンロードする必要なしに物質の流れを連続的にフィルタすることができるフィルタ７００の略側断面図である。フィルタ７００は、管７０２の中に構成され、収着材料の平行な層からなる収着媒体７０８を含む。平行な層は、円盤状に形状設定され、その結果、フィルタ７００は、平行な層の内縁部７２６によって囲まれる内側区域７１０と、収着媒体７０８の平行な層の外縁部７２８と管７０２内の管７０４によって囲まれる外側区域７０６とを含む。管７０２は、管７０２と管７０４との間のスペースにおいて空気又は耐火断熱のための閉じ込めシールドとして作用する。幾つかの実施形態において、平行な層の内縁部７２６に沿って多孔通路７１１が構成される。収着媒体７０８の層は、容器２に関して上記で解説された材料のいずれかからなってもよく、収着媒体７０８の層は、上記で解説された方法のいずれかを用いて生産され構成されてもよい。幾つかの実施形態において、収着材料７０８の平行な層の外縁部７２８上に膜（図示せず）が適用される。幾つかの実施形態において、収着材料の平行な層の内縁部７２６上又はこれらの層の表面上に触媒が適用される。幾つかの実施形態において、外側区域７０６での化学反応を容易にするために、収着材料の平行な層の外縁部７２８上に触媒が適用される。幾つかの実施形態において、抵抗加熱要素７１２は、管７０４内に含まれる。
【００５６】
幾つかの実施形態において、多孔通路７１１は、管７０２内にフィルタ７００を吊るすのを支援する構造的支持に接続される。図８は、本技術の実施形態に従って構成されるフィルタ７００の等角図である。多孔通路７１１は、収着媒体７０８を越えて延び、支持部材８３０は、多孔通路７１１と管７０４（図８に描かれた管７０４は透明であり、管７０２は、明瞭にする目的のため描かれていない）の内部との間に構成される。支持部材８３０は、収着媒体７０８を管７０４内に浮遊されてもよいように支持する一助となる。
【００５７】
図７を再び参照すると、フィルタ７００は、収着媒体７０８によって物質の特定のコンポーネントが内側区域７１１からロードされるときに物質をフィルタし、物質の残りはフィルタ７００から追い出される。内側区域７１０は、フィルタ７００の第１の端７２２から物質７１８を受け入れ、フィルタされた物質７２０をフィルタ７００の第２の端７２４に通過させる。外側区域７０６は、フィルタ７００の第２の端７２４上で反応物７１４を受け取り、化学反応の生成物７１６をフィルタ７００の第１の端７２２に通過させる。物質７１８が多孔通路７１１に入るときに、収着媒体によって物質７１８の特定のコンポーネントがロードされる。ロードされる物質は、平行な層の外縁部７２８の方に半径方向に移動し、収着媒体によってロードされる付加的な分子の各々が、先にロードされた分子を外縁部７２８の方にさらに押す。ロードされる分子が収着媒体７０８の外縁部７２８に到達するときに、分子と反応物７１４との間で化学反応が起こり、収着材料の平行な層の外縁部上に適用された触媒によって容易にされる。
【００５８】
幾つかの実施形態において、フィルタ７００は、燃焼機関の排気路に構成され、向流型熱交換器として作用し、エンジンの排気から有用な化合物をもたらすのに用いられる。燃焼機関からの排気は、フィルタ７００の内側区域７１０におけるフィルタ７００の第１の端７２２から供給される。再生可能な供給原料から提供することができるメタンは、外側区域７０６におけるフィルタ７００の第２の端７２４から供給される。作動時には、ラジエータを通して普通は排出される熱を、吸熱反応のために熱が必要とされるフィルタ７００に加えることができる。例えば、熱は、外側区域７０６に入る前にメタンに加えることができる。抵抗加熱要素７１２はまた、メタンを加熱してもよい。フィルタ７００の収着媒体７０８は、排気中に存在する蒸気を吸収する。水分子は、収着媒体７０８の外縁部７２８の方に半径方向外向きに押される。収着媒体７０８の外縁部７２８は、４８％の鉄、４９％のチタン、及び３％のイットリウムからなる合金のような触媒を含んでもよい。触媒のサイトでの熱とメタンと水との組合せが、式１によって説明される化学反応を引き起こす。
ＣＨ4＋Ｈ2Ｏ＋熱→ＣＯ＋３Ｈ2            （１）
結果として生じる一酸化炭素と水素は、外側区域７０６を通してフィルタ７００の第１の側部７２２の外に流れ、貯蔵され又は燃料としてすぐに用いられてもよい。収着媒体７０８によってロードされた水を除くエンジンからの排気が、フィルタ７００の第２の側部７２４を通してフィルタの外に流れる。残りの排気は、貯蔵され又はさらにフィルタされてもよい。例えば、排気は、フィルタされ排気がフィルタ７００を通過した後で容器に貯蔵されてもよいアルゴンを含んでもよい。
【００５９】
幾つかの実施形態において、物質７１８の特定の部分が収着媒体７０８によってロードされ、且つ化学反応における反応物であることなく、収着媒体７０８の外縁部７２８の外にアンロードされる。代わりに、収着媒体７０８によってロードされる物質７１８の特定の部分が、別のシステムに渡され、廃棄され、又は貯蔵される。同様に、フィルタされた物質７２０は、廃棄され、貯蔵され、又はどこかで用いられてもよい。幾つかの実施形態において、フィルタの第１の端７２２及び第２の端７２４は、物質７１８を生成物７１６から分離し、且つ反応物７１４をフィルタされた物質７２０から分離するノズルを含む。
【００６０】
幾つかの実施形態において、フィルタ７００は、物質のロード又はアンロードを支援する若しくは化学反応を容易にするために収着媒体７０８との間で熱を伝達する種々の伝熱コンポーネントを備える。フィルタ７００は、例えば、加熱された又は冷却されたガス又は液体をポンプする抵抗加熱要素又は伝熱管を含む、上記で説明された伝熱コンポーネントのいずれかを含んでもよい。同様に、幾つかの実施形態において、フィルタ７００は、物質のロード又はアンロードを容易にするために収着媒体７０８に電位を印加するコンポーネントを含む。フィルタ７００は、収着媒体７００の層に電位を印加するための上記で説明されたコンポーネントのいずれかを含んでもよい。加えて、物質７１８は、外側区域７０６に導入される反応物の圧力よりもかなり高い圧力で内側区域７１０に導入されてもよく、結果として、収着媒体７０８に物質７１８のコンポーネントをロードさせる圧力差が生じる。貯蔵材料の平行な層はまた、上記で説明された表面構造のような種々の表面構造を含んでもよい。
【００６１】
Ｈ．容器をロードする及びアンロードするためのシステム
図９は、収着媒体６の中にロードされるべき物質を多孔通路４を通して供給する、収着媒体６との間で熱を伝達して物質のロード又はアンロードを容易にするために加熱された又は冷却されたガス又は液体を多孔通路４に通す、且つ放出された物質を供給することができる付加的なシステム又は装置に容器２の出口ポートを接続するシステム９００に接続される容器２の側断面図を示す。
【００６２】
弁７は、水素又は天然ガスのような物質が収着媒体６によってロードされるべき容器２の中に流れることを可能にするために開かれてもよい。伝熱管８は、収着媒体６よりも低温のガス又は液体を循環させることによって収着媒体６から熱を除去する。弁７が開かれ、収着媒体６が冷却されるとき、収着媒体６は物質をロードする。上述のように、幾つかの実施形態において、収着媒体６は表面構造を含む。幾つかの実施形態において、物質は、容器６に入る前に冷却される。幾つかの実施形態において、物質のロードを容易にするために、物質は、冷却された伝熱物質と混合される。例えば、冷却コンポーネント３６は、収着媒体６の温度よりも低い温度に伝熱物質を冷却するように構成されてもよく、冷却された伝熱物質は、ロードされるべき物質と共に多孔通路４を通して循環されてもよい。
【００６３】
加熱される場合、収着媒体６は、ロードされた物質をアンロードすることができる。すでに述べたように、収着媒体６は、収着媒体６よりも熱い液体又はガスを伝熱管８に通すことによって加熱することができる。加えて、収着媒体６は、加熱されたガス又は液体を多孔通路４に通すことによって加熱することができる。システム９００は、多孔通路４を通して循環されるガス又は液体を加熱する熱交換器３４にエネルギーを供給する発電器４０を含む。例えば、熱交換器３４は、アルゴン、二酸化炭素、一酸化炭素、又は別の熱交換物質を加熱してもよく、これは次に、収着媒体６を加熱するために多孔通路４を通してポンプされてもよい。加熱された後で、収着媒体６がロードされた物質をアンロードするときに、収着媒体６を循環される熱交換物質と混合してもよい。幾つかの実施形態において、容器２は、ロードされる物質のアンロードを多孔通路４の中央管（図示せず）に又は周辺区域に方向付けることによって、ロードされる物質が循環される熱交換物質と混ざるのを防ぐ。
【００６４】
物質を混合する実施形態において、混合物は、容器２から追い出された後でフィルタされてもよい。容器から追い出されるときに、混合物は容器２の第２のポート１１を通過し、混合物を浄化するためにマイクロフィルタ又は膜４２からなるフィルタ３０を通して送達されてもよい。適したマイクロフィルタ及び膜は、物質の放出を誘起するために電荷を確立することによって生産されるイオン透過性ポリマーなどの選択的ポリマーのような有機膜と、パラジウム、ＰｄＡｇ、又は鉄、チタン、銅、及びレニウムの合金のような無機膜とを含む。アンロードされた物質又は放出された物質と熱交換物質との混合物は、燃料電池３２、火花噴射システム９（四方弁４８及び弁３８を通して）を含む他のシステム及び／又は貯蔵装置に、又は四方弁４８を通して熱交換器３４に供給され、そこでより高い温度に加熱され、多孔通路４を通して戻されてもよい。混合物はまた、別のポート（図示せず）を通してシステム９００の外部に渡されてもよい。例えば、アンロードされる物質又は混合物は、パイプライン又は別のシステムに送達されてもよい。
【００６５】
収着媒体に物質をロードするのを容易にするために種々の装置及び方法が上記で説明される。例えば、収着媒体との間で熱を伝達してもよく、収着媒体の層に電荷を適用してもよく、若しくは容器内の又は収着媒体の区域の間の圧力を変化させてもよく、このすべては収着媒体への物質のロードを容易にすることができる。物質のロード又はアンロードを容易にするために１つだけのこうした方法を採用するものとして幾つかの実施形態が説明されるが、１つよりも多いロード又はアンロード方法が同時に採用されてもよいことが当業者には分かるであろう。例えば、物質をロードするために収着材料の層を冷却することができ、物質の分子がロードされる速度を増加させるために層に電荷を適用することができる。
【００６６】
幾つかの実施形態において、物質のロード又はアンロードを容易にするために容器の収着媒体又はフィルタに超音波振動が適用される。同様に、幾つかの実施形態において、物質のロード又はアンロードを容易にするために収着媒体は選択的に照射される。
【００６７】
そのうえ、円盤のような特定の形状を有するものとして収着媒体の種々の実施形態が説明されるが、収着媒体は他の形状を備えてもよいことが当業者には分かるであろう。例えば、収着媒体は、収着材料の平行な長方形の層を備えてもよい。幾つかの実施形態において、物質は、長方形の層の第１の縁部に与えられ、そこで長方形の層が物質をロードし、長方形の層は、層の第２の縁部で物質をアンロードし、そこで物質は化学反応における反応物とすることができる。
【００６８】
本技術の１つの利点は、天然ガス及び水素などのガスを炭化水素と比較できるエネルギー密度で貯蔵できるようにすることである。
【００６９】
本技術の別の利点は、エンジンの排気のような廃生成物をフィルタし、及び別の化合物と反応させて有用且つ再生可能な化合物をもたらしてもよいことである。
【００７０】
本技術の別の利点は、燃料がまた消費されるであろう場所で燃料を生産し、フィルタし、及び貯蔵することができ、燃料ソースから燃料が消費されるであろう場所に長距離にわたって燃料を輸送する必要をなくすことである。
【００７１】
上記から、例証する目的で本発明の特定の実施形態が本明細書で説明されているが、本発明の精神及び範囲から逸脱することなく種々の修正がなされてもよいことが理解されるであろう。したがって、本発明は付属の請求項以外によって制限されない。
【００７２】
本明細書は、以下の発明を開示する。
（１）  物質をロードするための装置であって、
収着材料の第１の層と、
収着材料の第２の層と、を備え、
前記収着材料の前記第２の層が、前記収着材料の前記第１の層と平行に構成され、
前記収着材料の前記第１の層と前記第２の層が、前記収着材料の前記第１の層と前記第２の層との間に物質がロードされることを可能にする距離だけ分離され、
前記距離が、前記第１の層及び／又は前記第２の層の表面上への前記物質の一部の吸着と前記第１の層と前記第２の層との間の区域への前記物質の一部の吸収によって、前記物質が前記収着材料の前記第１の層と前記第２の層との間にロードされることを可能にする、装置。
（２）  前記収着材料の前記第１の層と前記第２の層が、円盤状に形状設定され、前記装置は、前記物質が前記収着材料の前記第１の層及び第２の層の内縁部を横切る第１の方向に流れ、且つ第２の物質が前記収着材料の前記第１の層と第２の層の外縁部を横切る第２の方向に流れように構成され、前記第１の方向と前記第２の方向が反対方向である、（１）に記載の装置。
（３）  前記装置が、前記物質が前記収着材料の前記第１の層と前記第２の層との間で前記前記収着材料の前記第１の層及び第２の層の内縁部を介してロードされ、且つ前記収着材料の前記第１の層及び第２の層の前記外縁部を介してアンロードされるように構成される、（２）に記載の装置。
（４）  前記物質と前記第２の物質との間の化学反応を容易にするために前記第１の層及び／又は前記第２の層の少なくとも一部上に適用される触媒をさらに備える、（３）に記載の装置。
（５）  前記第１の層及び前記第２の層のうちの少なくとも１つが、前記層の表面上に配向された表面構造を含む、（１）に記載の装置。
（６）  前記収着材料の前記第１の層と前記収着材料の前記第２の層が、電気伝導率を提供し、前記装置は、前記物質の前記ロードを引き起こす及び／又は容易にするために前記収着材料の前記第１の層及び／又は前記第２の層に電荷が印加されてもよいように構成される、（１）に記載の装置。
（７）  前記収着材料の前記第１の層と前記収着材料の前記第２の層が、熱伝達のための高い利用可能性を有し、前記物質の前記ロードを容易にする及び／又は引き起こすために、伝熱コンポーネントと前記収着材料の前記第１の層及び前記第２の層との間で熱が伝達されてもよい、（１）に記載の装置。
（８）  物質と別の物質との間の化学反応を容易にするために前記第１の層及び／又は前記第２の層の少なくとも一部上に適用される触媒をさらに備える、（１）に記載の装置。
（９）  前記収着材料の前記第１の層及び前記第２の層が円盤の形状であり、収着材料の前記第１の層及び第２の層の内縁部が、前記層が互いに隣接して構成されるときに内部区域を形成し、前記物質が、前記内部区域を介して前記第１の層及び前記第２の層に導入される、（１）に記載の装置。
（１０）  前記収着材料の前記第１の層及び第２の層が、グラフェン、窒化ホウ素、又はグラファイトを備える、（１）に記載の装置。
（１１）  前記表面構造が、ナノチューブ、ナノスクロール、ナノ花状構造、及び／又は剥離された炭化組織を備える、（５）に記載の装置。
（１２）  前記装置が排気管に構成される、（４）に記載の装置。
（１３）  前記収着材料の前記第１の層及び前記第２の層の各々が第１の縁部及び第２の縁部を含み、前記装置が、前記第１の層及び第２の層の前記第１の縁部に隣接する区域の圧力が前記第１の層及び第２の層の前記第２の縁部に隣接する区域の圧力とは異なるように構成される、（１）に記載の装置。
（１４）  前記物質が、第１の化合物の分子と第２の化合物の分子とを備え、前記装置は、前記第１の化合物の分子が前記収着材料の前記第１の層と前記第２の層との間にロードされ、前記第２の化合物の分子が前記収着材料の前記第１の層と前記第２の層との間にロードされないように構成される、（１）に記載の装置。
（１５）  前記表面構造が、前記収着材料の前記第１の層及び第２の層とは異なる材料からなる、（５）に記載の装置。
（１６）  前記表面構造が窒化ホウ素からなり、前記収着材料の前記第１の層及び第２の層がグラフェンからなる、（１５）に記載の装置。
（１７）  前記表面構造が、前記第１の層と前記第２の層とを分離する前記距離を支持する、（５）に記載の装置。
（１８）  前記収着材料の前記第１の層及び前記第２の層と平行に構成される前記収着材料の第３の層及び前記収着材料の第４の層をさらに備え、前記収着材料の前記第３の層及び前記第４の層が、前記第１の距離とは異なる第２の距離だけ分離される、（１）に記載の装置。
（１９）  物質をロードするための装置であって、
少なくとも１つのポートを含む膜と、
収着材料の第１の層と、
前記収着材料の第２の層と、を備え、
前記膜が、前記収着材料の前記第１の層及び第２の層を取り囲み、
前記収着材料の前記第２の層が、前記収着材料の前記第１の層と平行に構成され、
前記収着材料の前記第１の層と前記第２の層が、前記収着材料の前記第１の層と前記第２の層との間に物質がロードされることを可能にする距離だけ分離され、
前記第１の層及び／又は前記第２の層の表面上への前記物質の一部の吸着と、前記第１の層と前記第２の層との間の区域への前記物質の一部の吸収によって、前記物質が前記収着材料の前記第１の層と前記第２の層との間にロードされる、装置。
（２０）  前記第１の層及び前記第２の層のうちの少なくとも１つが、前記層の表面上に配向された表面構造を含む、（１９）に記載の装置。
（２１）  前記収着材料の前記第１の層と前記収着材料の前記第２の層が、電気伝導率を提供し、前記装置は、前記物質の前記ロード及び／又は前記アンロードを引き起こす及び／又は容易にするために前記収着材料の前記第１の層及び／又は前記第２の層に電荷が印加されてもよいように構成される、（１９）に記載の装置。
（２２）  前記収着材料の前記第１の層と前記収着材料の前記第２の層が、熱伝達のための高い利用可能性を有し、前記物質の前記ロード及び／又は前記アンロードを容易にする及び／又は引き起こすために伝熱コンポーネントと前記収着材料の前記第１の層及び前記第２の層との間で熱が伝達されてもよい、（１９）に記載の装置。
（２３）  物質と別の物質との間の化学反応を容易にするために前記第１の層及び／又は前記第２の層の少なくとも一部上に適用される触媒をさらに備える、（１９）に記載の装置。
（２４）  前記収着材料の前記第１の層及び前記第２の層が円盤の形状であり、前記収着材料の前記第１の層及び第２の層の内縁部が、前記層が互いに隣接して構成されるときに内部区域を形成し、前記物質が、前記ポートを介して前記第１の層と第２の層及び前記内部区域に導入される、（１９）に記載の装置。
（２５）  前記収着材料の前記第１の層及び第２の層が、グラフェン、窒化ホウ素、又はグラファイトを備える、（１９）に記載の装置。
（２６）  前記表面構造が、ナノチューブ、ナノスクロール、ナノ花状構造、及び／又は剥離された炭化組織を備える、（２０）に記載の装置。
（２７）  前記膜が実質的に透明であり、前記収着材料の前記第１の層が、光活性のある要素と熱連通するための高い能力を有する、（１９）に記載の装置。
（２８）  前記化学反応の生成物が、前記収着材料の前記第１の層と前記第２の層との間にロードされる、（２３）に記載の装置。
（２９）  前記表面構造が、前記収着材料の前記第１の層及び第２の層とは異なる材料からなる、（２０）に記載の装置。
（３０）  前記表面構造が窒化ホウ素からなり、前記収着材料の前記第１の層及び第２の層がグラフェンからなる、（２９）に記載の装置。
（３１）  前記表面構造が、前記第１の層と前記第２の層とを分離する前記距離を支持する、（３０）に記載の装置。
（３２）  前記収着材料の前記第１の層及び前記第２の層と平行に構成される前記収着材料の第３の層及び前記収着材料の第４の層をさらに備え、前記収着材料の前記第３の層及び前記第４の層が、前記第１の距離とは異なる第２の距離だけ分離される、（１９）に記載の装置。
（３３）  収着媒体に物質をロードする方法であって、
収着媒体の縁部に隣接する領域に物質を提供するステップであって、前記収着媒体が、収着材料の少なくとも２つの平行な層と、前記少なくとも２つの平行な層の間の区域へのアクセスを提供する収着媒体の縁部とを備える、ステップと、
前記物質の少なくとも一部を前記収着媒体にロードするステップと、を含み、
前記物質の少なくとも幾つかの分子が、前記少なくとも２つの平行な層のうちの層の表面上に吸着され、
前記物質の少なくとも幾つかの分子が、前記少なくとも２つの平行な層の間の前記区域の中に吸収される、方法。
（３４）  前記物質の少なくとも一部が、前記収着材料の少なくとも２つの平行な層のうちの層の表面上に位置する表面構造によって吸収される、（３３）に記載の方法。
（３５）  前記収着媒体から熱を除去するステップをさらに含み、前記収着媒体から熱を除去するステップが、前記物質の少なくとも一部の前記ロードを容易にする及び／又は引き起こす、（３３）に記載の方法。
（３６）  前記収着材料の少なくとも２つの平行な層のうちの少なくとも１つの層の両端に電圧を印加するステップをさらに含み、前記電圧を印加するステップが、前記物質の少なくとも
一部の前記ロードを容易にする及び／又は引き起こす、（３３）に記載の方法。
（３７）  収着媒体によって経験される圧力を増加させるステップをさらに含み、前記収着媒体によって経験される圧力を増加させるステップが、前記物質の少なくとも一部の前記ロードを容易にする及び／又は引き起こす、（３３）に記載の方法。
（３８）  前記物質の少なくとも一部を前記収着媒体にロードするステップが、
前記収着媒体から熱を除去するステップと、
前記少なくとも２つの平行な層のうちの少なくとも１つの層の両端に電圧を印加するステップと、
収着媒体によって経験される圧力を増加させるステップと、のうちの少なくとも２つによって容易にされ及び／又は引き起こされる、（３３）に記載の方法。
（３９）  前記収着媒体の第２の縁部で前記収着媒体にロードされた前記物質の少なくとも一部をアンロードするステップをさらに含む、（３３）に記載の方法。
（４０）  前記収着媒体の第２の縁部が、前記物質の第１の化合物の分子と第２の化合物の分子との間の化学反応に触媒作用を及ぼす触媒を含む、請求項３９に記載の方法。
（４１）  前記物質が、少なくとも２つの化合物の分子を備える、（３３）に記載の方法。
（４２）  前記収着媒体に前記物質をロードするステップが、１つの化合物の分子のみを前記収着媒体にロードすることを含む、（４１）に記載の方法。
（４３）  前記収着材料が、グラフェン、グラファイト、又は窒化ホウ素のうちの１つである、（３３）に記載の方法。
（４４）  前記物質の少なくとも一部の前記ロードを容易にする及び／又は引き起こすために前記吸収媒体の両端に電圧勾配を印加するステップをさらに含む、（３３）に記載の方法。
（４５）  収着媒体から物質をアンロードするための方法であって、
収着材料の少なくとも２つの平行な層を備え、且つ前記少なくとも２つの平行な層の間の区域へのアクセスを提供する縁部を有する収着媒体から、前記収着媒体にロードされている物質の分子をアンロードするステップを含み、
前記分子のうちの少なくとも幾つかが、前記少なくとも２つの平行な層のうちの層の表面上に吸着された状態からアンロードされ、
前記分子のうちの少なくとも幾つかが、前記少なくとも２つの平行な層の間の前記区域の中に吸収された状態からアンロードされ、
前記収着媒体の縁部を介して前記収着媒体から分子が追い出される、方法。
（４６）  前記収着媒体が、前記収着材料の平行な層のうちの少なくとも１つの表面上に位置する表面構造をさらに備え、前記分子のうちの少なくとも幾つかが、前記表面構造において吸収された状態からアンロードされる、（４５）に記載の方法。
（４７）  前記収着媒体に熱を加えるステップをさらに含み、前記収着媒体に熱を加えるステップが、前記収着媒体にロードされている物質の分子のうちの少なくとも幾つかの前記アンロードを容易にする及び／又は引き起こす、（４５）に記載の方法。
（４８）  前記収着媒体に熱を加えるステップをさらに含み、前記平行な層のうちの少なくとも１つを通して及び前記表面構造の中に熱を伝達し、前記収着媒体に熱を加えるステップが、前記表面構造において吸収された状態からアンロードされる前記分子を含む前記収着媒体にロードされている物質の分子のうちの少なくとも幾つかの前記アンロードを容易にする及び／又は引き起こす、（４６）に記載の方法。
（４９）  前記収着材料の少なくとも２つの平行な層のうちの少なくとも１つの層の両端に電圧を印加するステップをさらに含み、前記電圧を印加するステップが、前記収着媒体にロードされている物質の分子のうちの少なくとも幾つかの前記アンロードを容易にする及び／又は引き起こす、（４５）に記載の方法。
（５０）  収着媒体によって経験される圧力を減少させるステップをさらに含み、前記収着媒体によって経験される圧力を減少させるステップが、前記収着媒体にロードされている物質の分子のうちの少なくとも幾つかのアンロードを容易にする又は引き起こす、（４５）に記載の方法。
（５１）  前記収着媒体にロードされている物質の分子をアンロードするステップが、
前記収着媒体に熱を加えること、
前記少なくとも２つの平行な層のうちの少なくとも１つの層の両端に電圧を印加すること、
前記収着媒体によって経験される圧力を減少させること、のうちの少なくとも２つによって容易にされ又は引き起こされる、（４５）に記載の方法。
（５２）  前記収着媒体にロードされている物質の分子をアンロードするステップが、前記収着媒体にロードされている第１の化合物の分子をアンロードすることを含み、前記収着媒体にロードされている第２の化合物の分子はアンロードされない、（４５）に記載の方法。
（５３）  前記収着材料が、ラフェン、グラファイト、又は窒化ホウ素のうちの１つである、（４５）に記載の方法。
（５４）  前記収着材料の少なくとも２つの平行な層のうちの少なくとも１つの層の両端の前記電圧が、前記収着媒体に前記物質の分子をロードするために印加された電圧の極性の反対の極性を有する、（４９）に記載の方法。
（５５）  物質を収着媒体にロードする及びアンロードするためのシステムであって、
ポートを含み、且つ収着媒体を収容する容器であり、収着媒体が収着材料の平行な層を備える、容器と、
前記ポートを通して及び前記容器の中に熱交換物質を循環させるように構成された伝熱コンポーネントと、
開かれたときに物質が前記ポートを通して及び前記容器の中に流れて前記収着媒体の中にロードされることを可能にする弁と、を備え、収着媒体の中にロードされるときに、物質の少なくとも幾つかの分子が収着媒体の層の表面上に吸着され、物質の分子のうちの少なくとも幾つかが収着媒体の平行な層の間の区域の中に吸収される、システム。
（５６）  前記ポートから追い出される物質をフィルタするフィルタをさらに備える、（５５）に記載のシステム。
（５７）  収着媒体からアンロードされる物質を受け入れる燃料電池をさらに備える、（５５）に記載のシステム。
（５８）  前記収着媒体の平行な層のうちの層の表面上に位置する表面構造をさらに備える、（５５）に記載のシステム。
（５９）  前記収着材料の平行な層が電気伝導率を提供し、前記容器は、前記収着材料の平行な層に電荷が印加されるように構成される、（５５）に記載のシステム。
（６０）  前記収着材料の平行な層が、熱伝達のための高い利用可能性を有し、前記ポートを介して前記収着媒体の中に熱が伝達されてもよい、（５５）に記載のシステム。
（６１）  前記収着材料の平行な層が電気伝導率を提供し、前記容器が、前記収着材料の平行な層に電荷勾配を印加するように構成される、（５５）に記載のシステム。
（６２）  前記物質をロードするために前記収着材料に第１の極性の電圧が印加され、物質をアンロードするために前記収着材料に第２の極性の電圧が印加される、（５９）に記載のシステム。
【図１】
2014025587.tif 000003
【図２Ａ】
2014025587.tif 000004
【図２Ｂ】
2014025587.tif 000005
【図２Ｃ】
2014025587.tif 000006
【図２Ｄ】
2014025587.tif 000007
【図３】
2014025587.tif 000008
【図４】
2014025587.tif 000009
【図５】
2014025587.tif 000010
【図６Ａ】
2014025587.tif 000011
【図６Ｂ】
2014025587.tif 000012
【図６Ｃ】
2014025587.tif 000013
【図７】
2014025587.tif 000014
【図８】
2014025587.tif 000015
【図９】
2014025587.tif 000016